Podtech/llm-jp-corpus-v4-ja_patent huggingface dataset:
(57)【要約】      （修正有）【課題】パイプの内部に構造物を装着することにより、本体の強度が増し、屈折防止のため有効となるパイプを提供する。【解決手段】鉄製真円パイプ内に節を等間隔に設ける。パイプ内部に節を等間隔に設けることにより、強度を増し、屈折を防止する。ビニールハウス等に使用するために一部円形に加工する場合は節の間隔を広く設ける。スポーツ用具及び建材等著しく強度を必要とする加工の場合は節の間隔を狭く設ける。【選択図】図３
0003199580.tif 000002
【実用新案登録請求の範囲】
【請求項１】
鉄製真円パイプ内に節を等間隔に設けたパイプ。
【請求項２】
パイプ内部に等間隔に節を設けることにより強度が増し、屈折防止になるものである。
【考案の詳細な説明】
【技術分野】
【０００１】本考案は、野性に生息する竹の構造特性からヒントを得たところの、長尺鉄製パイプの強度を保持するためのものである。
パイプ外周材と同等の厚みのある中心に穴の空いた円形板（図１参照）をパイプ内部に等間隔に圧着することにより強度が増すものである。
【考案の詳細な説明】
【０００２】現在市販されている単体の鉄パイプは、内部が空洞のため自重で曲がる傾向がある。特に内径１３ＭＭのパイプは、主に農業用ビニールハウスの骨格に使用されている。広大な規模の物は、表面積が広いので自然現象で発生する風圧に耐え切れずバイプが曲がる事態が発生する。
【実施例】
【０００３】ビニールハウスの支柱のように、円形を必要とする加工物の場合は［図１］のように節の間隔を広くする。
スポーツ用具及び建材等著しく強度を必要とする加工物の場合は［図２］のよに節の間隔を狭くする。
【図面の簡単な説明】
0003199580.tif 000003
0003199580.tif 000004
【手続補正書】
【提出日】平成27年6月15日(2015.6.15)
【手続補正１】
【補正対象書類名】実用新案登録請求の範囲
【補正対象項目名】請求項２
【補正方法】変更
【補正の内容】
【請求項２】
パイプ内部に節を等間隔に設けることにより、強度を増し、屈折を防止したことを特徴とするパイプ。
【手続補正２】
【補正対象書類名】図面
【補正対象項目名】全図
【補正方法】変更
【補正の内容】
【図１】
0003199580.tif 000005
【図２】
0003199580.tif 000006
【図３】
0003199580.tif 000007
【図４】
0003199580.tif 000008
【図５】
0003199580.tif 000009
【手続補正４】
【補正対象書類名】明細書
【補正対象項目名】全文
【補正方法】変更
【補正の内容】
【考案の詳細な説明】
【技術分野】
【０００１】  本考案は、野性に生息する竹の構造特性からヒントを得たところの、長尺鉄製パイプの強度を保持するためのものである。
パイプ外周材と同等の厚みのある中心に穴の空いた円形板（図２）をパイプ（図１）内部に等間隔（図３）に圧着することにより強度が増大するものである。
尚、円形板に穴を設けたのは、内部に発生する気圧を放出するため、及び、外部から掛かる衝撃に対し最小限に防止できる
【考案の詳細な説明】
【０００２】  現在市販されている単体の鉄製パイプは、内部が単一空洞のため自重で曲がる傾向がある。特に内径１３ｍｍの標準市販パイプは、主に農業用ビニールハウスの骨格に多く使用されている。広大な規模の物体は表面積が広いので自然現象で発生する風圧耐え切れず倒壊する事態が発生している。
【実施例】
【０００３】  ビニールハウス等に使用するために一部円形に加工する場合は［図４］のように節の間隔を広く設ける。
スポーツ用具及び建材等著しく強度を必要とする加工の場合は［図５］のように節の間隔を狭く設ける。
【図面の簡単な説明】
【０００４】
【図１】  円形鉄製パイプ全体図である。
【図２】  パイプ内部に圧着する中心に穴のある円形板である。
【図３】  円形板を圧着実施した斜視図である。
【図４】  円形加工する節の間隔（広く）を示した断面図である。
【図５】  著しく強度を必要とする節の間隔（狭く）を示した断面図である。
(57)【要約】      （修正有）【課題】鉄筋籠吊り上げ時のワイヤーの絡みなどによる捩れを全く危惧することなく簡単に所定位置に設置できる場所打ち杭に使用する鉄筋籠用スペーサーを提供する。【解決手段】スペーサーは、概ねＵ字状のボルト１０両端部に螺旋加工部を有し、螺旋加工部に長ナット１１が累合されている。長ナットの累合の程度を調整することで杭の半径方向の芯出しを容易に確定できる。【選択図】図４
0003199571.tif 000002
【実用新案登録請求の範囲】
【請求項１】
場所打ち杭の鉄筋籠に供せられるスペーサーであって、概ねＵ字状の両端部に螺旋加工部を有し、該螺旋加工部に長ナットが累合された金物。
【請求項２】
請求項１のスペーサーの長ナットと嵌合するピンであって、一端に面取り部、他端に螺旋加工部を有し、該螺旋加工部を使用して鉄筋籠の主筋と補強筋との交差部の捩じれ防防止用プレートに固定される金物。
【考案の詳細な説明】
【技術分野】
【０００１】  土木、建築における大規模建造物は、一般に大口径の場所打ち杭の上に構築される。
場所打ち杭は所定の深さと径に掘削された立坑の中心に主筋、補強リング、フープ筋等から成る概ね円筒状の鉄筋籠の中心を合わせて所謂芯出しをして設置後、最終的にコンクリートを流し込んで建造される。
該鉄筋籠は防錆及び強度の観点から上述流し込んだコンクリートが形成する杭外面より内側に位置し、鉄筋籠の主筋から外面までの所定の距離（かぶり）を確保するためのスペーサーを要する。本考案は該スペーサーに関する。
【背景技術】
【０００２】  上述、場所打ち杭の鉄筋籠に取り付けるスペーサーとして鉄筋を「へ」の字状に曲げたものを溶接する場合もあるが、近年は溶接による鉄筋の変質劣化が指摘されたことから、無溶接金物の一環としての該スペーサーが求められており、「へ」の字状の鉄筋を鉄筋籠に固定するための様々な金物が開発されている。
【考案の概要】
【考案が解決しようとする課題】
【０００３】場所打ち杭の鉄筋籠の配筋、組立は該中心軸を水平にした状態で行われるので前述、立坑に収めるときは鉄筋籠の上部側の要所要所にワイヤーを掛け、これを重機で吊り上げて垂直状態にして杭の立坑に挿入するが、上述スペーサーの固定金具は該スペーサーの鉄筋と鉄筋籠側の鉄筋を重ねたところをＵボルトやＵ字状の鋼板を使用して座金を介してナットで締めたときの摩擦力を利用ているだけなので上述ワイヤーが吊り上げに際して「へ」の字状の鉄筋スペーサーに絡んだり、吊り上げ後の移動中に何かに接触して該スペーサーを横から押すような力が加わると比較的簡単に該スペーサーは捩れてしまいその結果、杭の立坑内における鉄筋籠の自由度が増し「かぶり」及び芯出しが保証されないことになる。
【課題を解決するための手段】
【０００４】本考案者は鋭意研究した結果、上述の鉄筋籠吊り上げ時のワイヤーの絡みなどによるスペーサーの捩れを全く危惧することなく且つ簡単に所定位置に設置できる場所打ち杭に使用する鉄筋籠用スペーサーを考案した。【０００５】  以下、本考案による鉄筋籠用スペーサーについて図に従い、詳しく説明する。
まず、図１は従来の一般的な鉄筋籠用スペーサー１をＵボルト２及び座金３を使用してナット４を締めめ込み鉄筋籠の主筋５に固定したときの斜視図である。該斜視図からも推察されるようにスペーサー１も主筋５も異形鉄筋とはいえ概ね円形の断面形状を有しているのでスペーサー１が横方向から力を受けると前述のとおり比較的簡単にスペーサー１は捩れてしまう。
一方、本考案によるスペーサーは鉄筋籠を重機で吊り上げ、立坑に落とし込むタイミングで鉄筋籠にセットする方式のスペーサーであり、従前のスペーサーで危惧された上述のような事態を避けることができる。即ち図２の斜視図のごとく予め鉄筋籠の主筋５と補強筋６との交差部の捩れ防止用プレート７にナットで取り付けられ先端に面取り部８を有する図３のごときのピン９に図４の斜視図のごとくの概ねＵ字状の両ねじボルト１０に長ナット１１のほぼ中央部分までが累合された本考案によるスペーサーの該長ナット１１を差し込んで嵌合する仕組みである。面取り部８は該差し込み作業を円滑に行うための加工である。【０００６】  また、杭の立坑上部のケーシングの内径と「かぶり」を考慮に入れた鉄筋籠の外径との間には一般に若干の余裕を持たせている。それ故、杭の立坑の中心と鉄筋籠の中心の合わせ作業の確定が容易ではないが、本考案によるスペーサーは長ナット１０の累合の程度を調整することで杭の半径方向に伸び縮みするので該芯出しを容易に確定できる。
【図面の簡単な説明】
【０００７】
【図１】  従来のスペーサーの取付け斜視図
【図２】  捩れ防止用プレートの取付け斜視図
【図３】  スペーサーと嵌合するピン
【図４】  本考案によるスペーサーの斜視図
【符号の説明】
【０００９】  １，  従来の鉄筋製スペーサー
２，  Ｕボルト
３，  座金
４，  ナット
５，  主筋
６，  鉄筋籠の補強筋
７，  捩れ防止用プレート
８，  面取り部
９，  ピン
１０，Ｕ字状両ねじボルト
１１，長ナット
【図１】
0003199571.tif 000003
【図２】
0003199571.tif 000004
【図３】
0003199571.tif 000005
【図４】
0003199571.tif 000006
【手続補正書】
【提出日】平成27年6月10日(2015.6.10)
【手続補正１】
【補正対象書類名】実用新案登録請求の範囲
【補正対象項目名】全文
【補正方法】変更
【補正の内容】
【実用新案登録請求の範囲】
【請求項１】
場所打ち杭の鉄筋籠に供せられるスペーサーであって、概ねＵ字状の両端部に螺旋加工部を有し、該螺旋加工部に長ナット累合されたスペーサー。
【請求項２】
請求項１のスペーサーの長ナットと嵌合するピンであって、一端に面取り部、他端にネジ加工部を有し、該螺旋加工部を使用して鉄筋籠の主筋と補強筋との交差部の捩じれ防止用プレートに固定されるピン。
(57)【要約】      （修正有）【課題】ひとりでも簡単に装着できるチェーンタイプのブレスレットを提供する。【解決手段】チェーンタイプブレスレットの端に折り返し用のチェーン通し輪２を設け、チェーンを通して６の字型にキープし、腕を通して安定した状態で引き輪１を引き輪留めの輪３に留める。【選択図】図２
0003199974.tif 000002
【実用新案登録請求の範囲】
【請求項１】
数字の６の形にしたチェーンの端に引き輪を設けたチェーンタイプのブレスレット（アクセサリー）。
【考案の詳細な説明】
【技術分野】
【０００１】本考案は数字の６の形にしたチェーンの端に引き輪を設けたイージー装着ブレスレットに関するものである。
【背景技術】
【０００２】ひとりでチェーンのブレスレットを装着するには手間がかかった。
【考案の概要】
【考案が解決しようとする課題】
【０００３】従来のチェーンブレスレットは輪になっていない１本型のため、装着する際にはテーブル等に腕を安定させるか、チェーンを腕に乗せ落下しないよう気を使いながら引き輪を留めなければならなかった。
【課題を解決するための手段】
【０００４】チェーンの形を６型、接点を可動式にして、端に引き輪を設ける。
【考案の効果】
【０００５】本考案はチェーンを６型にすることで、予め輪の部分に腕を通し安定させた状態で、どこでも簡単に装着できるようになった。
【図面の簡単な説明】
【０００６】
【図１】本考案の装着前（引き輪を留める前）の正面図である。
【図２】本考案の装着後（引き輪を留めた後）の正面図である。
【考案を実施するための形態】
【０００７】６型の接点は可動式で腕を通す際は輪が大きくなり、通した後にチェーンを引き、引き輪を留める。
【実施例】
【０００８】以下、添付図面に従って一実施例を説明する。
輪の中に腕を通し１を３に留める。
２の輪の中をチェーンが自在に通るが輪の径より１の引き輪が大きいため６型をキープでき、腕からはずれにくく３に留め易い。
【符号の説明】
【０００９】１  引き輪
２  チェーン通し輪
３  引き輪留めの輪
【図１】
0003199974.tif 000003
【図２】
0003199974.tif 000004
【手続補正書】
【提出日】平成27年6月17日(2015.6.17)
【手続補正１】
【補正対象書類名】実用新案登録請求の範囲
【補正対象項目名】全文
【補正方法】変更
【補正の内容】
【実用新案登録請求の範囲】
【請求項１】
チェーンの一方の端に引き輪（１）を有し、チェーンの他方の端にチェーン通し輪（２）を有し、その間に引き輪留めの輪（３）を有するチェーンタイプのブレスレットであって、
引き輪（１）と引き輪留めの輪（３）との間のチェーンがチェーン通し輪（２）を通っていることによりチェーンが数字の６の形になっていて、
引き輪（１）を引き輪留めの輪（３）に留めることができるブレスレット。
(57)【要約】      （修正有）【課題】靴を履くときに靴ベラを探すことなく使用でき、揃える行為等を補助する、靴揃えを備えた靴ベラシートを提供する。【解決手段】柔軟性のあるプラスチック材等を型抜きし、靴揃えを備えた靴ベラシートとして適切な形に加工し使用する。オフセット印刷等を用いて使用方法説明、宣伝効果の役割等を果たすための印刷ａを施すのが好ましい。【選択図】図１
0003199978.tif 000002
【実用新案登録請求の範囲】
【請求項１】
１枚のシートから型抜きなどで形状加工した柔軟性のあるプラスチック材等で作られた事を特徴とする靴揃えを備えた靴ベラシート。
【請求項２】
靴ベラ（２）または（３）を靴の踵内側に押し付けることで、材料の反発を利用して靴の踵内側に沿って靴に固定できることを特徴とした請求項１の靴揃えを備えた靴ベラシート。
【請求項３】
請求項２の要領等で靴に固定した、靴揃えを備えた靴ベラシート同士の切り込み（４）と（５）を噛み合わせることで靴を揃える習慣を教育できることを特徴とした請求項１の靴揃えを備えた靴ベラシート。
【請求項４】
請求項２の要領で靴に固定した状態で、ツメ（６）に紙などを差し込むことができることを特徴とした請求項１の靴揃えを備えた靴ベラシート。
【考案の詳細な説明】
【技術分野】
【０００１】本考案は、靴を履く、靴を揃える行為を補助するための機能を備えた靴ベラシートに関するものである。
【背景技術】
【０００２】従来、靴ベラは靴を履くときの補助道具として普及しており、大別すると主に玄関に備え付けておく長尺タイプと携帯に便利な小型タイプがあり、どちらも靴を履きやすくする行為のみの目的が主流である。
【考案が解決しようとする課題】
【０００３】しかしながら、従来の靴ベラでは靴を履くときに靴ベラを探す必要があった。
【０００４】脱いだ靴を揃える行為は幼児にとって困難な作業であり、靴を揃える行為を補助する機能が無かった。
【０００５】従来の靴ベラでは、忘れ物防止のための機能が無かった。
【０００６】従来の靴ベラでは、広告面が本体のスペースでしかない。
【課題を解決するための手段】
【０００７】本考案は１枚のシートから本製品を取り出せる事を特長とする靴ベラである。
【０００８】シート（１）から抜き出した靴ベラ（２）または（３）を靴の踵内側に押し付けることで、材料の反発を利用して靴ベラ（２）または（３）の背面が靴の踵から靴底内側に沿って固定でき、あらかじめ靴に設置しておく事ができるので靴を履く時に探す必要が無いことを特長とする靴ベラである。
【０００９】靴ベラ（２）または（３）を靴に前記述［０００８］の要領で固定し、切り込み（４）と（５）を噛み合わせることで、必然的に靴を揃えることが可能となる事を特長とする靴ベラである。
【００１０】付加機能としてツメ（６）にメモ紙などを差し込む事を特長とする靴ベラである。
【考案の効果】
【００１１】あらかじめ靴に設置しておけるので、靴を履くときに靴ベラを探す手間がない。
【００１２】児童などの子供に靴を揃える習慣をつけさせる補助具として、躾に役立てることができる。
【００１３】出かける際に必要な物を記入したメモ紙等を挟み、忘れ物防止に役立てられる。
【００１４】１枚のシートから抜き出すので靴ベラ単体より広告面が広いため、ノベルティ等の広告物として有効である。
【図面の簡単な説明】
【００１５】
【図１】本考案の視図である。
【図２】本考案の使用状態の側面図である。
【図３】本考案の使用状態の一例を示す図である。
【考案を実施するための形態】
【００１６】以下、本考案の形態を図に基づいて説明する。
【実施例１】
【００１７】図１は本考案の靴揃えを備えた靴ベラシート（１）の視図である。図１の靴揃えを備えた靴ベラシート（１）は柔軟性のあるプラスチック材等を用い作成し、型抜きなどを用いて成型する。
【実施例２】
【００１８】靴ベラ（２）と（３）は靴揃えを備えた靴ベラシート（１）から抜き出し、靴ベラとして使用できる。
【実施例３】
【００１９】図２はこの靴ベラ（２）または（３）を靴に装着する時の形状である。靴ベラ（２）または（３）を押し付けることで材料の反発を利用して、靴ベラ（２）または（３）の背面が靴の踵から靴底内側に沿って靴に固定することができる。
【実施例４】
【００２０】図３はこの靴ベラ（２）と（３）を装着した正面の図である。切り込み（４）と（５）を噛み合わせることで靴を揃えることができる。
【実施例５】
【００２１】図３はこの靴ベラ（２）と（３）を装着した正面の図である。ツメ（６）に紙などを差し込むことができる。
【符号の説明】
【００２２】１  靴揃えを備えた靴ベラシート本体
２  右足用靴ベラ
３  左足用靴ベラ
４  右足用切り込み
５  左足用切り込み
６  ツメ
７  靴揃えを備えた靴ベラシートと靴ベラの切り込み線
【図１】
0003199978.tif 000003
【図２】
0003199978.tif 000004
【図３】
0003199978.tif 000005
【手続補正書】
【提出日】平成27年7月6日(2015.7.6)
【手続補正１】
【補正対象書類名】実用新案登録請求の範囲
【補正対象項目名】全文
【補正方法】変更
【補正の内容】
【実用新案登録請求の範囲】
【請求項１】
１枚のシートから型抜きなどで形状加工した柔軟性のあるプラスチック材等で作られた事を特徴とする靴揃えを備えた靴ベラシート。
【請求項２】
靴ベラ（２、３）を靴の踵内側に押し付けることで、材料の反発を利用して靴の踵内側に沿って靴に固定できることを特徴とした請求項１の靴揃えを備えた靴ベラシート。
【請求項３】
請求項２に記載の靴揃えを備えた靴ベラシートにおいて、切り込み（４、５）を噛み合わせることで靴を揃える習慣を教育できることを特徴とした請求項１の靴揃えを備えた靴ベラシート。
【請求項４】
請求項２に記載の靴揃えを備えた靴ベラシートにおいて、紙などを差し込むことができるツメ（６）を有する請求項１の靴揃えを備えた靴ベラシート。
(57)【要約】      （修正有）【課題】ダイレクトメールなどに使用した後、ミシン目から切り離し、ゴミを出すことなく小型のクリアケースとして再利用できるプラスチックシートを材料とする封筒を提供する。【解決手段】型抜きされた１枚のプラスチックシートを山折りにして、表面１及び裏面を形成し、表面１及び裏面の両側辺を結合し、表面１及び裏面の上辺を開口部とした封筒型のクリアケースにおいて、表面の上辺に両面テープが形成された蓋部を設け、表面１に形成されたミシン線４を切り離すことにより、蓋９が形成されることを特徴とする。【選択図】図４
0003199977.tif 000002
【実用新案登録請求の範囲】
【請求項１】
プラスチックシートを使用し、製造された封筒を、封筒として使用した後に、ハサミ等を使用することなくミシン目で切り離すことによって、書類等を入れることができるクリアケースとして再利用できる封筒型クリアケースにおいて、再利用する際に切り離して廃棄する部分が無い構造を持つ封筒型クリアケース。
【請求項２】
封筒として使用した後に、手だけで簡単に開封できるように封をした面とは反対の面に、ミシン目を入れることにより、切り取って廃棄する部分が無い構造とした請求項１の封筒型クリアケース。
【請求項３】
切り離した蓋部分が容易に開かないように、固定できる構造とするため、プラスチックシートを３枚重ねた３重構造とし、中間に位置するプラスチックシートに、切込み加工を施し、蓋部分にも施した切込みを差し込んで蓋を固定できる請求項１の封筒型クリアケース。
【請求項４】
封筒として使用する際に、蓋部分を両面テープで固定することにより、再利用する際に切り離す反対面の蓋部分が本体から分離すること無く、内容物が飛び出さないように封ができる請求項１の封筒型クリアケース。
【考案の詳細な説明】
【技術分野】
【０００１】本考案は、封筒に関し、開封して中身を出すときにゴミを出さず、さらに２次使用できる封筒に関する。
【背景技術】
【０００２】プラスチックシートを材料として製作された封筒について、ダイレクトメール等に使用した後、一部を切り取りクリアファイルとして使用できる物は種々存在するが、いずれも一部を切取り、廃棄する構造となっている。そのため、環境に負荷をかけてしまっていた。
【考案が解決しようとする課題】
【０００３】本案件はプラスチックシートを材料として製作された封筒をダイレクトメール等に使用し、それを手にした人が開封、またはクリアケースとして使用する際に、切り取り廃棄する部分が無く、環境負荷を軽減することができる封筒の提供を課題とする。また、封筒を再利用できることに加え、携行性を高めることで、印刷によって表現された宣伝効果が持続することを目的とする封筒。
【課題を解決するための手段】
【０００４】本考案は、表側・裏側・中仕切りの３層のプラスチックシートから構成される。裏側開封部より、開封することで、内容物を取り出し可能であると同時に、中仕切りの切り込み部分に裏側開封部の切り込み部分を差し込むことで、内容物が飛び出さないように封をすることができる。
【考案の効果】
【００５】封筒として使用した後にクリアケースとして再使用が可能となり、廃棄する部分が無い設計にできている。環境に負荷をかけること無く再利用でき、印刷によって表現された広告等の長期的な宣伝効果も期待できる。
【図面の簡単な説明】
【０００６】
【図１】封筒型クリアケースの裏面
【図２】封筒型クリアケースの表面
【図３】封筒型クリアケースの展開図
【図４】封筒型クリアケースの表面（ミシン目を切り離した状態）
【図５】断面図
【考案を実施するための形態】
【０００７】以下、本考案の形態を図に基づいて説明する。
【実施例１】
【０００８】（図３）は型抜きされた１枚のプラスチックシートである。このプラスチックシート（図３）の（Ｄ）辺と（Ｃ）辺を山折りにして、（Ｂ）辺および（Ｄ）辺の両端部を溶着する。表面（１）、裏面（２）のそれぞれ、上端（Ａ）辺および（Ｅ）辺は、開口しているため、そこから、内容物である印刷物等を挿入できる。蓋部（６）の裏側には両面テープ（３）が貼り付けてあり、その両面テープ（３）の剥離紙を剥がし、蓋部（６）を裏面（２）側に山折りし、裏面（２）に貼り付けることで内容物が飛び出さないよう封ができる。ダイレクトメール等で使用した後は、ミシン目（４）を切り離し、開封することで内容物を取り出すことができる。蓋（９）は両面テープ（３）をもって裏面（２）に固定されているため、脱落することは無い。蓋（９）と中仕切り（５）には、それぞれ切込み（７）と（８）があり、切込み（７）を切込み（８）に差し込むことにより、蓋（９）を開かないように止めることができる。
【符号の説明】
【０００９】１  表面
２  裏面
３  両面テープ
４  ミシン目
５  中仕切り
６  蓋
７  切り込み
８  切り込み
９  蓋
【図１】
0003199977.tif 000003
【図２】
0003199977.tif 000004
【図３】
0003199977.tif 000005
【図４】
0003199977.tif 000006
【図５】
0003199977.tif 000007
【手続補正書】
【提出日】平成27年7月6日(2015.7.6)
【手続補正１】
【補正対象書類名】実用新案登録請求の範囲
【補正対象項目名】全文
【補正方法】変更
【補正の内容】
【実用新案登録請求の範囲】
【請求項１】
型抜きされた１枚のプラスチックシートを山折りにして、表面（１）及び裏面（２）を形成し、表面（１）及び裏面（２）の両側辺を結合し、表面（１）及び裏面（２）の上辺を開口部とした封筒型のクリアケースにおいて、表面の上辺に両面テープ（３）が形成された蓋部（６）を設け、表面（１）に形成されたミシン線（４）を切り離すことにより、蓋（９）が形成されることを特徴とする封筒型クリアケース。
【請求項２】
請求項１に記載の封筒型のクリアケースにおいて、蓋（９）は、蓋部（６）と連続しており、蓋部（６）に形成された両面テープ（３）により裏面（２）に固定されるため、蓋（９）及び蓋部（６）が脱落しない構造を持つ封筒型クリアケース。
【請求項３】
型抜きされた１枚のプラスチックシートにおいて、封筒型クリアケースの側辺となる部分を山折りにして、中仕切り（５）を形成し、封筒型クリアケースの下辺となる部分を山折にして表面（１）及び裏面（２）を形成し、両側辺を結合することにより、表面（１）及び中仕切り（５）及び裏面（２）を開口部とした封筒型クリアケースにおいて、表面（１）に形成されたミシン線（４）を切り離すことにより形成される蓋（９）には第一の切込み（７）が形成されており、中仕切り（５）には第二の切込み（８）が形成されており、第一の切込み（７）を第二の切込み（８）に差し込むことにより蓋（９）を固定できることを特徴とする封筒型クリアケース。
(57)【要約】      （修正有）【課題】衣服下部のジーパン、ズボン、スラックスが簡易に掛け外しが出き、乾燥も速やかに行える、一体型のハンガーを提供する。【解決手段】Ｕ型水平平行棒の屈曲部より平行棒の中央上部に斜め延びたフックからなるハンガーで、ズボン、ジーパン、スラックス等の上部左右のベルト吊り部を掛け通すことにより内部が空洞化して空気の循環が良くなり立体的乾燥が速やかに行える。【選択図】図１
0003199973.tif 000002
【実用新案登録請求の範囲】
【請求項１】
ステンレス等金属又は合成樹脂により形成するＵ型水平平行棒の屈曲部より平行棒の中央上部に延びる逆Ｕ型をしたフックからなる一体型のハンガー。
【考案の詳細な説明】
【技術分野】
【０００１】本考案はズボン、ジーパン、スラックス等の専用ハンガー装置に関する。
【背景技術】
【０００２】従来のハンガーは主に衣服上部の上着、下着を掛けるように出来ているのが主流である。
【考案の概要】
【考案が解決しようとする課題】
【０００４】しかしながらジーパン、ズボン、スラックス、等筒条の洗濯物を乾燥するには機能的に不具合である。
【課題を解決するための手段】
【０００５】本考案は水平Ｕ型平行棒の先端よりジーパン、ズボン等のベルト吊部を左右に掛け通し吊り下げる。
【考案の効果】
【０００６】本考案はズボン、スラックス、ジーパン等の洗濯物を簡易に立体的に掛けられることにより内部が空洞化し風通しが良くなり乾燥が速やかに行われる。
【図面の簡単な説明】
【０００７】
【図１】ハンガーの全体図
【図１】
0003199973.tif 000003
(57)【要約】      （修正有）【課題】防犯上十分な強度を持つ玄関用網戸を提供する。【解決手段】炭素繊維の糸で網４を形成し、金属または炭素素材の枠または戸の枠に貼り合わせる、または組み合わせる網は、網目を防虫効果のある１インチに１８〜３０本の炭素繊維の糸を並べて形成する。【選択図】図１
0003199976.tif 000002
【実用新案登録請求の範囲】
【請求項１】
炭素繊維を使用した防犯に優れた玄関、勝手戸用網戸。
【考案の詳細な説明】
【技術分野】
【０００１】本考案は、炭素繊維の糸で形成した網を使用した玄関用網戸である。金属または炭素素材の窓枠または戸の枠に炭素繊維の網を貼り合わせる、または目的にそった方法で組み合わせることにより、玄関用網戸は防犯上十分な強度を持った防犯用網戸となる。
【技術背景】
【０００２】本考案を請求するに至った背景は、省エネルギー、節電が求められる時流の中で、防犯に優れた玄関用網戸があれば昼夜を問わず安心な生活ができると考えたからである。
炭素繊維は、航空機から橋梁の材料に使われるなど軽量でありながら剛性に優れた素材である。また、他金属との接合の後には剥離しない接着性能を持つことから金属枠との相性や剛性には十分な素材と考える。
【先行技術文献】
【特許文献】
【０００３】
【特許文献１】  実願５７−７８１０１
【特許文献２】  特開２００６−１０４８０６特許文献１は、網戸を考案し、その網戸を固定する玄関戸を図中に記入してあり、本考案の炭素繊維を使用した玄関用防犯網戸とは説明及び考案の主旨が異なっているため、本考案とは異なる。
特許文献２は、窓用の網戸についての考案であり、本考案の炭素繊維を使用した玄関用防犯網戸とは異なる。
炭素繊維は１９６１年に基本原理が特許化されている。
本考案は、炭素繊維を使用した形状の網戸を組み合わせることで防犯に優れた玄関用網戸という使用目的を請求するものである。
【考案の概要】
炭素繊維を使用した網を防犯に向く強度のある玄関用網戸として使用する
【考案が解決しようとする課題】
【０００４】通気、防虫用に使用される従来の玄関用網戸は化学繊維またはグラスファイバーあるいはステンレスを使用したもので、破れやすいか変形してしまうことから玄関用網戸そのものでは防犯に向かないとされていた。
【課題を解決するための手段】
【０００５】炭素繊維の糸で網を形成し、金属または炭素素材の窓枠または戸の枠に貼り合わせる玄関用網戸は防犯上十分な強度を持った玄関用網戸となる。
この場合の網は、網目を防虫効果のある１８〜３０メッシュとする。メッシュとは、  １インチ（２．５４ｃｍ）間に何本の糸が入っているかの単位であり、この場合１インチに１８〜３０本の炭素繊維を並べて網を形成する。
【考案を実施するための最良の形態】
【０００６】戸及び窓の枠が金属であり、枠に接着または組み合わされた形状を持つ炭素繊維の玄関用網戸。
【発明の効果】
【０００７】省エネルギー、節電に効果が高く、防犯に向く強度のある玄関用網戸があれば就寝時も安心できる。
【図面の簡単な説明】
【０００８】
【図１】炭素繊維を使用した、防犯用強化カーテン式玄関・勝手戸用網戸
【図２】炭素繊維を使用した、上下に開閉できるロール式巻き取り玄関・勝手戸用防犯強化網戸
【図３】鍵付き開閉型  全体と同寸の炭素繊維を使用した防犯用強化玄関・勝手戸用内扉網戸
【図４】炭素繊維を使用した、防犯用強化観音開き玄関・勝手戸用網戸
【図５】炭素繊維を使用した、防犯用強化蛇腹式玄関・勝手戸用網戸
【符号の説明】
【０００９】１  戸枠の上下でレールとフックにより引戸式に開閉
２  鍵
３  取手
４  炭素繊維で造られた、鍵付きカーテン式玄関・勝手戸用網戸
５  炭素繊維で造られた上下に開閉できる鍵付きロール式巻き取り玄関・勝手戸用網戸
６  左右のレール内で網の両端が固定される
７  鍵
８  取手
９  炭素繊維で造られた、鍵付き開閉型玄関・勝手戸用網戸内扉
１０  鍵
１１  取手
１２  炭素繊維で造られた、鍵付き観音開き玄関・勝手戸用網戸
１３  鍵
１４  取手
１５  戸枠の上下でレールとフックにより引戸式に開閉
１６  鍵
１７  取手
１８  炭素繊維で造られた、鍵付き蛇腹式玄関・勝手戸用網戸
【産業上の利用の可能性】
【００１０】多くの住居、事務所、店舗等の玄関、勝手戸に使用する。
【図１】
0003199976.tif 000003
【図２】
0003199976.tif 000004
【図３】
0003199976.tif 000005
【図４】
0003199976.tif 000006
【図５】
0003199976.tif 000007
【手続補正書】
【提出日】平成27年6月30日(2015.6.30)
【手続補正１】
【補正対象書類名】実用新案登録請求の範囲
【補正対象項目名】全文
【補正方法】変更
【補正の内容】
【実用新案登録請求の範囲】
【請求項１】
炭素繊維の糸で網を形成した防犯に優れた玄関又は勝手戸用網戸。
(57)【要約】      （修正有）【課題】自動車のプロペラシャフトの回転力を放置せず利用する発電機を提供する。【解決手段】自動車のプロペラシャフト４の一端に永久磁石５を取り付け、永久磁石の周囲をステーターコイル６で覆うステーターコイルは、カバー８に固定し、カバーの両端の一方は、エンジン部２に一方は、デフレンシャルギヤーＢＯＸ７にボルト９で固定する。プロペラシャフトの回転力を無駄にせず発電機として利用し少しでも消費電力を補充する。【選択図】図１
0003199979.tif 000002
【実用新案登録請求の範囲】
【請求項１】
自動車のプロペラシャフトの回転力を利用しプロペラシャフトの一端に永久磁石を取り付け、ステーターコイルで覆い発電機としたものを取り付けたもの。
【考案の詳細な説明】
【技術分野】
【０００１】本考案は、自動車のプロペラシャフトの回転力を利用し、発電機としたものを、取り付けたものである
【背景技術】
【０００２】自動車の走行により、回転するプロペラシャフトの回転力を利用せず、空転のまゝ走行していた。
【考案の概要】
【考案が解決しようとする課題】
【０００３】現在の自動車業界では、ハイブリッド車とか電気自動車等電気を多く使う車の量が増え、発電機の用途が重要となる。
【課題を解決するための手段】
【０００４】ハイブリッド車、電気自動車等、電気を多く必要とする車種が増え、発電量の増量が、のぞまれるため、車の走行により生づる回転力を有効に利用した、発電機を取り付ける。
【考案の効果】
【０００５】プロペラシャフトの回転力を利用た、発電機を取り付けたことにより従来の車より発電量が増し、自動車の走行距離が延び、消費燃料の節減となる。
【図面の簡単な説明】
【０００６】
【図１】本考案の平面図である。
【図２】本考案のカバーを、はづした発電機部の斜面図である。
【考案を実施するための形態】
【０００７】発電機は、プロペラシャフトの一端に永久磁石を取付け、その周囲をステーターコイルで覆い、ステーターコイルは、カバーに固定し、カバーの両端の一方は、エンジン部に一方は、デフ部にボルトで固定する。
【符号の説明】
【０００８】１．車体
２．エンジン
３．クラッチ
４．プロペラシャフト
５．永久磁石
６．コイル（ステーターコイル）
７．デフレンシャルギヤーＢＯＸ
８．カバー
９．ボルト
１０．ドライブシャフト右側
１０ａドライブシャフト左側
１１．車輪
１２  ジョイント
【図１】
0003199979.tif 000003
【図２】
0003199979.tif 000004
【手続補正書】
【提出日】平成27年6月29日(2015.6.29)
【手続補正１】
【補正対象書類名】実用新案登録請求の範囲
【補正対象項目名】全文
【補正方法】変更
【補正の内容】
【実用新案登録請求の範囲】
【請求項１】
自動車のプロペラシャフトの一端に永久磁石を取り付け、前記永久磁石の周囲をステーターコイルで覆うことを特徴とする発電機。
(57)【要約】      （修正有）【課題】自動車の回転軸の回転力を放置せず利用する回転軸発電機を提供する。【解決手段】自動車の車輪軸４に連結する回転軸６の一端に永久磁石７を取り付け、永久磁石７の周囲をステーターコイル８で覆うことで自動車の回転軸６の回転力を無駄にせず発電機として利用し、少しでも消費電力を、補充する。【選択図】図１
0003199980.tif 000002
【実用新案登録請求の範囲】
【請求項１】
自動車の走行により発生する、車軸の回転力を利用し、車軸の一端に永久磁石を取り付け、ステーターコイルで覆い発電機としたものを、取り付けたもの。
【考案の詳細な説明】
【技術分野】
【０００１】本考案は、自動車の車輪軸に連結させた回転軸をもうけ、車の走行により発生する回転力を利用し、回転軸の一端に、発電機を、もうけたものである。
【背景技術】
【０００２】自動車の走行により、発生する回転軸の回転力を、利用せず、空転のまゝ走行していた。
【考案の概要】
【考案が解決しようとする課題】
【０００３】現在の自動車業界では、ハイブリッド車とか電機自動車等、電気を多く使う車の量が増え、発電機の用途が重要となる。
【課題を解決するための手段】
【０００４】ハイブリッド車、電気自動車等、電気を多く必要とする車種が増え、発電量の増量が期待されるため、車の走行により生ずる回転力を有効に利用した発電機を取り付ける。
【考案の効果】
【０００５】車の走行により発生する回転力を利用した発電機を、取り付けたことにより、従来の車より、発電量が増し、ハイブリッド車、電機自動車の走行距離が延び、エネルギーの節減となる。
【図面の簡単な説明】
【０００６】
【図１】本考案の平面図である。
【図２】本考案のカバーをはずした、発電機部の斜面図である。
【考案を実施するための形態】
【０００７】発電機は、車の回転軸の一端に、永久磁石を取り付け、その周囲をステーターコイルで覆い、ステーターコイルは、カバーに固定し、カバーの両端の一方は回転軸受部に一方は車輪軸受け部に、ボルトで固定する。
【符号の説明】
【０００８】  １  車体
２  車輪
３  車輪軸受け部
４  車輪軸
５  ジョイント
６  回転軸
７  永久磁石
８  コイル（ステーターコイル）
９  カバー
１０  回転軸受け部
１１  ボルト
【図１】
0003199980.tif 000003
【図２】
0003199980.tif 000004
【手続補正書】
【提出日】平成27年6月29日(2015.6.29)
【手続補正１】
【補正対象書類名】実用新案登録請求の範囲
【補正対象項目名】全文
【補正方法】変更
【補正の内容】
【実用新案登録請求の範囲】
【請求項１】
自動車の車輪軸に連結する回転軸の一端に永久磁石を取り付け、前記永久磁石の周囲をステーターコイルで覆うことを特徴とする発電機。
(57)【要約】      （修正有）【課題】魚のウロコを取るときにウロコが飛び散らず、包丁一本でウロコ取りから魚を下ろすことまで出来るウロコ取り付き包丁を提供する。【解決手段】魚のウロコが飛び散らないための構造として包丁の峰部分にＶ形状のカット２を施す。包丁一本で刃先を痛めずに短時間で魚のウロコ取りから魚を下ろすことまで容易に出来る。【選択図】図２
0003199997.tif 000002
【実用新案登録請求の範囲】
【請求項１】
魚のウロコが飛び散らないウロコ取り機能が包丁に設けられ、魚のウロコ取りから魚を下ろすまで包丁一本で処理することができることを特徴とする、飛び散らないウロコ取り付き包丁。
【考案の詳細な説明】
【技術分野】
【０００１】本考案は、魚のウロコが飛び散らないウロコ取り機能を包丁の峰に設けた、包丁に関するものである。
【背景技術】
【０００２】魚をさばく時にウロコ取り機または包丁の刃先でウロコを剥がし、細部（頭やヒレ）は包丁の切っ先の刃を使ってウロコを剥がし、包丁にて魚をさばく作業を行っていた。
【考案の概要】
【考案が解決しようとする課題】
【０００３】魚をさばく時にウロコ取り機や包丁の刃先でウロコを取ったり、魚をさばいたりすることにより包丁の切れ味が悪くなったり、ウロコ取り機の洗浄や包丁の手入れなど多くの手間と時間が必要である。
従って、包丁の機能と魚のウロコが飛び散らないウロコ取りの機能を一体化することにより、包丁一本で容易に魚をさばくことが可能になり、前述の欠点を解決しようとするものである。
【課題を解決するための手段】
【０００４】本考案は、魚のウロコが飛び散らないためのウロコ取り機能を包丁の峰部分にＶ形状のカットを施すことにより問題点を解決している。
【考案の効果】
【０００５】上述のように包丁の峰部分にＶ形状のカットを設けたことにより、包丁の刃先を使わずに魚のウロコをはがすことが出来るため刃先の摩耗が防げ、また包丁の峰部分の全体にＶ形状のカットがあるため、切っ先を使った細かいウロコ取り作業も可能であり、魚に対して右左の動きが可能なウロコ取りも出来る。
また、ウロコが飛び散らないため周辺の掃除も簡単で済ませることが出来る。
包丁一本でウロコ取りと魚を下ろす事が出来るため処理時間が短く効率が良い。
【図面の簡単な説明】
【０００６】
【図１】包丁を上から見た上面図である。
【図２】包丁を正面から見た正面図である。
【図３】包丁を左側面から見た左側面図である。
【考案を実施するための形態】
【０００７】ウロコ取りの圧力、摩耗に十分耐える構造にするため、包丁の厚みのある峰全体にＶ形状のカットを設けた。
【実施例】
【０００８】ハンドルを持ち包丁を斜めに寝かせ峰に設けられたＶカットの片方のエッジで魚のウロコを取る。
次に頭やヒレなど細かい部分は切っ先の峰部分を使いウロコを取る。
ハンドルを持ち変えることも無く、魚の反対面も同様に処理が出来る。
その後包丁の刃先を使い魚を下ろす。
【符号の説明】
【０００９】１  ハンドル（柄）
２  Ｖ形状のカット峰
３  刃先
４  切っ先
【図１】
0003199997.tif 000003
【図２】
0003199997.tif 000004
【図３】
0003199997.tif 000005
【手続補正書】
【提出日】平成27年6月30日(2015.6.30)
【手続補正１】
【補正対象書類名】実用新案登録請求の範囲
【補正対象項目名】全文
【補正方法】変更
【補正の内容】
【実用新案登録請求の範囲】
【請求項１】
峰部分にＶ形状のカットを有することを特徴とする、飛び散らないウロコ取り付き包丁。
(57)【要約】      （修正有）【課題】シンクの排水溝の溝を簡単に掃除できる排水溝洗い機を提供する。【解決手段】排水溝を有するシンクに吸盤で固定されるカバー２と、カバー２に対して回転できるように支持された本体１と、本体１を回転するためのハンドル３と、本体１に取り付けられたブラシ６，７，９とを有し、カバー２を吸盤でシンクに固定し、ブラシ６，７，９をシンクの排水溝に入れ、ハンドル３を回すことにより、本体１とともにブラシ６，７，９を回転して排水溝のゴミ叉は汚れをブラシ６，７，９で落とすことが出来ることを特徴とする。【選択図】図１
0003199995.tif 000002
【実用新案登録請求の範囲】
【請求項１】
シンクの排水溝の溝に４本のハケを入れ、本体を吸盤で固定してハンドルを回せば  ハケが回り  ゴミ、汚れが簡単に落ちる事を特微とする装置
１１  溝を掘り  １２穴をあけ
洗剤を入れる
【考案の詳細な説明】
【技術分野】本考案は、シンクの排水溝の中を、簡単に綺麗に掃除することが出来る装置に関するものである。
【図面の簡単な説明】
【図】平面図  １  上図面  ２
【符号の説明】１    プラスチック  本体
２    プラスチック  カバー
３    プラスチック  ハンドル
４    プラスチック  取っ手
５    ゴム  吸盤
６    プラスチック  ブラシ
７    プラスチック  ブラシ
８    プラスチック  ブラシ
９    プラスチック  ブラシ
１０    ステンレス      棒
１１    プラスチック    溝
１２    プラスチック    穴
【図１】
0003199995.tif 000003
【図２】
0003199995.tif 000004
【手続補正書】
【提出日】平成27年6月24日(2015.6.24)
【手続補正１】
【補正対象書類名】実用新案登録請求の範囲
【補正対象項目名】全文
【補正方法】変更
【補正の内容】
【実用新案登録請求の範囲】
【請求項１】
排水溝を有するシンクに吸盤で固定されるカバー（２）と、
当該カバー（２）に対して回転できるように支持された本体（１）と、
当該本体（１）を回転するためのハンドル（３）と、
当該本体（１）に取り付けられた４本のブラシ（６，７，８，９）とを有し、
カバー（２）を吸盤でシンクに固定し、ブラシ（６，７，８，９）をシンクの排水溝に入れ、ハンドル（３）を回すことにより、本体（１）とともにブラシ（６，７，８，９）を回転して排水溝のゴミ叉は汚れをブラシ（６，７，８，９、）で落とすことが出来ることを特徴とする排水溝洗い機。
【手続補正２】
【補正対象書類名】明細書
【補正対象項目名】全文
【補正方法】変更
【補正の内容】
【考案の詳細な説明】
【技術分野】本件は、シンクの排水溝の中を、簡単に綺麗に掃除することが出来る装置に関するものである。
【図面の簡単な説明】
【図１】  平面図
【図２】  上図面
【符号の説明】  １    プラスチック      本体
２    プラスチック      カバー
３    プラスチック      ハンドル
４    プラスチック      取っ手
５    ゴム    吸盤
６    プラスチック      ブラシ
７    プラスチック      ブラシ
８    プラスチック      ブラシ
９    プラスチック      ブラシ
１０    ステンレス          棒
１１    プラスチック        溝
１２    プラスチック        穴
【手続補正４】
【補正対象書類名】図面
【補正対象項目名】全図
【補正方法】変更
【補正の内容】
【図１】
0003199995.tif 000005
【図２】
0003199995.tif 000006
(57)【要約】      （修正有）【課題】小型で任意に使用の形態を変更して使用できる室内型の納骨仏壇を提供する。【解決手段】納骨室を具えた納骨壇４は正面側から見て内部に納骨室５に形成されていると共に、納骨壇４の入口両サイドには扉６、６ａが取り付けられている。また、祭壇１は、納骨壇４とは別に形成されていると共に納骨壇４内に収納自在の大きさに形成されている。祭壇１は、納骨室５内に収納自在であると共に納骨室５内に納骨が行われている場合には、納骨壇４の上に重ねて使用される。【選択図】図３
0003199964.tif 000002
【実用新案登録請求の範囲】
【請求項１】
内部に納骨室を形成し、この納骨室の正面側を開放して両サイドに折戸式の扉を取り付けて成る納骨壇と、
前記納骨室内に正面側から組み付け自在に形成されていると共に必要に応じて納骨室から引き出し、納骨壇の上に二段重ねにして使用できる祭壇と、
から成る納骨仏壇。
【請求項２】
前記祭壇は、台座に背板を直立して形成し、前記納骨壇の納骨室内に収納自在の大きさに形成されていること、を特徴とする請求項１に記載の納骨仏壇。
【請求項３】
前記納骨壇の納骨室内には、前記祭壇又は骨壷又は骨箱が収納自在であること、を特徴とする請求項１に記載の納骨仏壇。
【考案の詳細な説明】
【技術分野】
【０００１】
本考案は、家族を亡くし、火葬及び葬儀が終わってもお墓がない、あるいはお墓の準備ができていない又は気持ちの落ち着くまではしばらく自宅に安置しておきたいといった事情、あるいは墓地が遺族の住居から遠く、埋葬しても十分なお参りができないといった事情の方などに便利な納骨仏壇に関するものである。
【背景技術】
【０００２】
納骨仏壇として、実用新案登録第３１９７８４８号には、「住宅内に設置される仏壇であって、位牌や仏具を設置するための主室と、少なくとも六寸サイズの骨壺が、一ないし複数個収納可能な内部空間を有する納骨室と、を具備してなり、前記納骨室が、内部空間を正面側から臨み得る開放部を有してなり、前記開放部に開閉自在の扉が設けられてなることを特徴とする仏壇。」が紹介されている。
【０００３】
しかし、この公知例の場合、納骨室を主室の正面側から臨むことはできるが、位牌とか遺影等のスペースが必要になることから、仏壇は必然的に大きくなる。
【０００４】
また、この公知例の場合、実用新案公報図３、４には仏壇を二段式に形成し、下段に骨壷を納めるようにした形態の仏壇が開示されているが、この実施例の仏壇の場合も、特に高さ方向において大型化するため、置く場所には制約が多い。
【考案の概要】
【考案が解決しようとする課題】
【０００５】
本考案は、設置場所のスペースは住宅事情等も考慮して最小で良く、納骨に併せて祭壇としても使用したい場合には、納骨室の上に祭壇を重ねて使用できるように構成した仏壇を提供するのが目的である。
【課題を解決するための手段】
【０００６】
上記目的を達成するため、請求項１に記載の考案は、仏壇において、内部に納骨室を形成し、この納骨室の正面を開放して両サイドに折戸式の扉を取り付けて成る納骨壇と、前記納骨室内に正面側から組み付け自在に形成されていると共に必要に応じて納骨室から引き出し、納骨壇の上に二段重ねにして使用できる祭壇と、から成ることを特徴とする。
【０００７】
また、請求項２に記載の考案は、請求項１に記載の仏壇において、前記祭壇は、台座に背板を直立して形成し、前記納骨壇の納骨室内に収納自在の大きさに形成されていることを特徴とする。
【０００８】
また、請求項３に記載の考案は、請求項１に記載の仏壇において、前記納骨壇の納骨室内には、前記祭壇又は骨壷又は骨箱が収納自在であることを特徴とする。
【考案の効果】
【０００９】
本考案に係る仏壇は、納骨壇の納骨室内に祭壇を収納して見掛け上は納骨壇だけの形態となし、骨壷がない場合にはこのまま扉を閉じ、家具調として室内に置くことができる。
【００１０】
骨壷又は骨箱がある場合には、納骨壇内から祭壇をとり出し、この納骨壇内に骨壷又は骨箱を収納し、この納骨壇の上に祭壇を載置し、祭壇内に位牌とか遺影、仏器等を収める。
【図面の簡単な説明】
【００１１】
【図１】（Ａ）は祭壇、（Ｂ）は納骨壇の説明図
【図２】納骨壇の納骨室内に祭壇を組み込んだ状態の説明図
【図３】納骨室内に骨箱を収容し、納骨壇の上に祭壇を載せた状態の説明図
【図４】納骨壇の扉を閉じた状態の説明図
【図５】納骨壇内に祭壇を納め、納骨壇の扉を閉じた状態の説明図
【図６】祭壇の説明図
【図７】祭壇と納骨壇の上に重ねて載置した状態の説明図
【考案を実施するための形態】
【実施例１】
【００１２】
本考案に係る納骨仏壇の実施例１を図１〜５に基づいて詳細に説明する。
図１において、（Ａ）は正面２が開放した四角形の祭壇１であって、この内部のデザインは任意であるが、本実施例においては須弥壇の形態をとっている。
【００１３】
図１の（Ｂ）は正面５が開放された四角形の納骨壇４であって、この納骨壇４内には前記祭壇１が正面５側から組み込み自在である。
【００１４】
６、６ａは正面部５の両サイドに取り付けられた一対の折戸である。
【００１５】
本実施例の納骨仏壇は、図２に示すように納骨壇４内に祭壇１を組み付けて仏壇として使用したり、図３に示すように納骨壇４の上に祭壇１を重ね、納骨壇４内に骨箱７を収納しておく。そして、必要に応じて図４に示すように扉６、６ａを閉じておく。
【００１６】
また、納骨が必要でない場合には、図４に示すように納骨室５内に祭壇１を収納し、扉６、６ａを閉じておくことにより、家具調の外観としておく。
【実施例２】
【００１７】
本実施例２を図６、図７に基づいて説明する。
【００１８】
この実施例２は、祭壇として、須弥壇の形式の基台７の上に背板８を直立させて形成し、この基台７を図７に示すように納骨壇４の上に載置し、納骨室５内には骨壷又は骨箱を収納する。
【００１９】
以上に説明したように、本考案の納骨仏壇は、祭壇１と納骨壇４を状況に応じて使い分けることにより小型化を図り、骨壷又は骨箱を自宅において手軽にお参りすることができる。
【００２０】
また、本考案の納骨仏壇は、一時的な納骨ばかりでなく、このまま永く置いて使用したり、或いは分骨して身近に置くこともできる。
【符号の説明】
【００２１】
１  祭壇
２  正面
３  須弥壇
４  納骨壇
５  開口
６、６ａ  扉
７  基台
８  背板
【図１】
0003199964.tif 000003
【図２】
0003199964.tif 000004
【図３】
0003199964.tif 000005
【図４】
0003199964.tif 000006
【図５】
0003199964.tif 000007
【図６】
0003199964.tif 000008
【図７】
0003199964.tif 000009